(57)【要約】【課題】音声をテキスト化する作業およびデータの管理が容易となるデータ記録装置を提供する。【解決手段】複数人の参照用声紋データが格納される記憶部３０と、音声を検出するマイク部５０と、マイク部５０にて検出された音声の声紋を複数人の参照用声紋データと照合して合致する話者を識別する識別部８０と、マイク部５０にて検出された音声をテキスト化するテキスト化部９０と、を有し、識別部８０にて識別された話者と関連付けて、テキスト化されたテキストデータを記憶部３０に記憶するデータ記録装置１０である。【選択図】図１
2017009956.tif 000002
【特許請求の範囲】
【請求項１】
複数人の参照用声紋データが格納される記憶部と、
音声を検出するマイク部と、
前記マイク部にて検出された音声の声紋を複数人の前記参照用声紋データと照合して合致する話者を識別する識別部と、
前記マイク部にて検出された音声をテキスト化するテキスト化部と、を有し、前記識別部にて識別された話者と関連付けて、テキスト化されたテキストデータを記憶部に記憶するデータ記録装置。
【請求項２】
前記マイク部にて検出された音声をデジタル化する音声処理部をさらに有し、
前記記憶部は、前記テキストデータとともにデジタル化されたデジタル音声データを記憶する請求項１に記載のデータ記録装置。
【請求項３】
前記テキストデータおよび前記デジタル音声データは、記録が行われた時刻の情報を有する請求項２に記載のデータ記録装置。
【請求項４】
前記テキスト化部は、テキストである数字を数値に変換する請求項１〜３のいずれか１項に記載のデータ記録装置。
【請求項５】
前記テキスト化部は、前記マイク部にて検出される音声が所定の時間存在しない場合に、テキストを改行する請求項１〜４のいずれか１項に記載のデータ記録装置。
【請求項６】
前記マイク部にて検出された音声を振動として出力する骨伝導スピーカ部をさらに有する請求項１〜５のいずれか１項に記載のデータ記録装置。
【請求項７】
前記マイク部は、接触する部位の振動から音を検出する骨伝導マイク部を有する請求項１〜６のいずれか１項に記載のデータ記録装置。
【発明の詳細な説明】
【技術分野】
【０００１】
本発明は、音声をテキスト化して記録するデータ記録装置に関する。
【背景技術】
【０００２】
病院などの医療現場では、医師や看護師などの医療従事者が複数の患者から聞き取りを行い、録音やメモを取った後、聞き取った内容を電子データに変換して電子カルテに記録することが行われている。
【０００３】
ところで、近年、音声をテキスト化する技術が発達しているため、聞き取った音声を、コンピュータ等による音声処理によりテキスト化して保存することは可能である（例えば、特許文献１を参照）。
【先行技術文献】
【特許文献】
【０００４】
【特許文献１】特開２０００−１２３００７号公報
【発明の概要】
【発明が解決しようとする課題】
【０００５】
しかしながら、例えば複数人の患者から連続して聞き取りを行った場合には、患者の名前をメモなどで記録する必要がある。したがって、聞き取り時に手間がかかるとともに、メモを参照しながら聞き取った内容を電子カルテなどに入力する必要があり、作業が煩雑である。
【０００６】
本発明は、上述した課題を解決するためになされたものであり、音声をテキスト化する作業およびデータの管理が容易となるデータ記録装置を提供することを目的とする。
【課題を解決するための手段】
【０００７】
上記目的を達成する本発明に係るデータ記録装置は、複数人の参照用声紋データが格納される記憶部と、音声を検出するマイク部と、前記マイク部にて検出された音声の声紋を複数人の前記参照用声紋データと照合して合致する話者を識別する識別部と、前記マイク部にて検出された音声をテキスト化するテキスト化部と、を有し、前記識別部にて識別された話者と関連付けて、テキスト化されたテキストデータを記憶部に記憶する。
【発明の効果】
【０００８】
上記のように構成したデータ記録装置は、マイク部にて検出された音声の声紋を、記憶部に格納された参照用声紋データと照合して話者を識別し、テキスト化したテキストデータを話者に関連付けて記憶できるため、音声をテキスト化する作業およびデータの管理が容易となる。
【図面の簡単な説明】
【０００９】
【図１】実施形態に係るデータ記録装置を示すブロック図である。
【図２】実施形態に係るデータ記録装置を示す平面図である。
【図３】データ記録装置を拡大して示す正面図である。
【図４】データ記録装置を拡大して示す側面図である。
【図５】データ記録装置を拡大して示す背面図である。
【図６】データ記録装置をケーブルによりコンピュータへ接続した状態を示す正面図である。
【図７】実施形態に係るデータ記録装置の制御の流れを示すフローチャートである。
【図８】データ記録装置の使用例を説明するための概略図である。
【図９】データ記録装置の使用例を説明するための拡大概略図である。
【図１０】データ記録装置の変形例を示す側面図である。
【発明を実施するための形態】
【００１０】
以下、図面を参照して、本発明の実施の形態を説明する。なお、図面の寸法比率は、説明の都合上、誇張されて実際の比率とは異なる場合がある。
【００１１】
本発明の実施形態に係るデータ記録装置１０は、話者を自動で特定しつつ音声データをテキストデータに変換して記録する装置である。データ記録装置１０は、例えば、医師や看護師などの医療従事者が、老人性難聴の患者から聞き取りを行う際に使用でき、自動で話者を特定しつつ音声データをテキストデータに変換し、電子カルテへのデータ入力を容易とすることができる。
【００１２】
データ記録装置１０は、図１〜５に示すように、声紋等が格納される記憶部３０と、制御部４０と、集音するマイク部５０と、集音された音声の声紋から話者を識別する識別部８０と、音声データをテキストデータに変換するテキスト化部９０とを備えている。データ記録装置１０は、さらに、音声を処理する音声処理部６０と、患者へ音を伝える骨伝導スピーカ部７０と、患者の骨から音を集音する骨伝導マイク部１００と、各種操作を行うための操作部１１０と、第１スイッチ部１２０と、通信ケーブル３１０のコネクタ３１１を接続可能な接続部１４０と、これらを収容する筐体２０と、ストラップ１３０とを備えている。
【００１３】
筐体２０は、骨伝導スピーカ部７０や骨伝導マイク部１００が配置されて皮膚に押し付けられる接触面２３と、接触面２３と反対面であって操作部１１０等が配置される操作面２４とが形成される。接触面２３と操作面２４の間の側面には、操作者が把持しやすいように凹状である把持部２１と、ストラップ１３０が連結される環状の連結部２２とが形成される。
【００１４】
記憶部３０は、制御部４０にて実行される動作プログラムや、複数の患者や医療従事者の声紋のデータを、参照用声紋データとして予め格納する。声紋は、声を周波数分析し、縦軸を周波数、横軸を時間とし、音声波形のスペクトルの強度変化を等高線表示したグラフである。声紋は、人によって異なる形状を有している。また、記憶部３０は、音声処理部６０、識別部８０、テキスト化部９０等にて用いられる各種パラメータを格納する。記憶部３０は、さらに、マイク部５０にて集音された後にデジタル化されたデジタル音声データ、テキスト化部９０にてテキスト化されたテキストデータ等を格納する。
【００１５】
マイク部５０は、操作者および患者が発する音声を集音するマイクロフォンであり、集音した音声から音声信号を生成して音声処理部６０へ送信する。
【００１６】
音声処理部６０は、マイク部５０から入力される音声信号を、ＭＰ３、ＷＡＶ等のフォーマットのデジタル音声データに変換する機能を有している。さらに、音声処理部６０は、マイク部５０から入力される音声信号を、記憶部３０に保管された周波数帯域毎に、周波数変換およびボリューム調節を行う機能を有している。
【００１７】
人間の耳が聞き取れる可聴域は、２０〜２００００Ｈｚ程度であるが、人間の音声を聞きとるのに必要な周波数の範囲は、１２５〜８０００Ｈｚ程度である。このうち、老人性難聴では、高周波が聞き取りにくくなり、特に、４０００Ｈｚ以上の高音部から聞き取り難くなる。
【００１８】
ところで、個人差があるが、一例として、母音は１２５〜１５００Ｈｚの低帯域に多く含まれ、有声子音は１５００〜３０００Ｈｚの中帯域に多く含まれ、無声子音は３０００〜６０００Ｈｚの高帯域に多く含まれる。したがって、老人性難聴では、母音が含まれる低帯域は聞き取りやすく、有声子音が含まれる中帯域は低帯域よりも聞き取り難く、無声子音が含まれる高帯域は、さらに聞き取り難い。そして、老人性難聴では、母音は３０ｄＢ程度でも聞き取れるが、有声子音は４０ｄＢ程度以上でないと聞き取ることが困難であり、無声子音は５０ｄＢ程度以上でないと聞き取ることが困難である。このため、音声処理部６０では、帯域毎に、周波数変換およびボリューム調整を行うことができる。例えば、音声処理部６０は、母音が存在する低帯域（１２５〜１５００Ｈｚ）については、周波数変換は行わず、３０ｄＢ未満である場合に３０ｄＢ以上に増幅する。そして、音声処理部６０は、有声子音が多い中帯域（１５００〜３０００Ｈｚ）は、１２００Ｈｚ以下に周波数変換し、４０ｄＢ未満である場合に４０ｄＢ以上に増幅する。無声子音が多い高帯域（３０００〜６０００Ｈｚ）は、老人性難聴であっても聞き取りやすい３０００Ｈｚ以下に周波数変換し、５０ｄＢ未満である場合に５０ｄＢ以上に増幅する。これにより、母音、有声子音、無声子音を各々の帯域毎に変調して増幅し、ほぼ全ての音声を認識可能に変換することができる。なお、音声処理部６０は、音声の周波数変換やボリューム調整を行わなくてもよい。
【００１９】
また、音声処理部６０は、周波数変換および増幅された音声の信号を骨伝導スピーカ部７０へ送信する。
【００２０】
骨伝導スピーカ部７０は、骨伝導用の接触子７１および振動を発生させるアクチュエータ７２を備えるスピーカである。アクチュエータ７２は、音声処理部６０から受信した信号によって振動を発生させ、接触子７１を振動させる。接触子７１は、筐体２０から露出し、患者に接触可能となっている。接触子７１は、患者の皮膚２０２に接触し、皮膚２０２を介して皮膚２０２の直下に位置する頭蓋骨２０１（図９を参照）に振動を伝える。骨伝導スピーカ部７０は、操作部１１０における操作によってオン−オフを切り換えることが可能である。これにより、骨伝導スピーカ部７０を用いなければ会話が成り立たない場合にのみ、骨伝導スピーカ部７０を利用することができる。
【００２１】
骨伝導マイク部１００は、患者の声帯で発生した振動を頭蓋骨２０１を介して計測する高感度の振動センサ素子１０１を備え、集音した振動から音声信号を生成して音声処理部６０へ送信する。骨伝導マイク部１００は、操作部１１０における操作によってオン−オフを切り換えることが可能である。これにより、骨伝導マイク部１００を用いなければ会話が成り立たない場合にのみ、骨伝導マイク部１００を利用することができる。
【００２２】
識別部８０は、マイク部５０や骨伝導マイク部１００で得られた音声データを声紋データに変換する。次に、識別部８０は、音声データから変換された声紋データを、記憶部３０に格納されている複数の参照用声紋データと照合し、公知の話者識別技術により、合致する参照用声紋データを特定して話者を識別する。
【００２３】
テキスト化部９０は、音声データをテキストデータに変換する。テキスト化部９０は、文字に変換された数字を、数値に変換することができる。また、テキスト化部９０は、数値の前後の”度（ど）”、”分（ぶ）”、”温度（おんど）”などの文字から、数値を体温と認識することができ、数値が体温である場合には、体温データを保存する別のセグメントに、体温として数値を記録する。テキスト化部９０は、２秒以上マイク部５０への音声の入力がない場合に、テキストデータに改行を挿入する。音声データおよびテキストデータは、声紋により特定された人（例えば、医療従事者および患者）および時刻（例えば、記録が開始された日および時間）等に関連付けて、記憶部３０に格納される。デジタル音声データおよびテキストデータは、例えば、ファイル名に、参照用声紋データ名および記録が開始された時刻を用いることで、関連付けることができる。なお、これらのファイル名に使用される項目（例えば、参照用声紋データ名、記録が開始された時刻等）の種類や順番は、任意に設定し、変更することができる。また、これらのファイル名の順番は任意で設定し、変更することができる。また、自動で記録時間順に並び変えることもできる。
【００２４】
操作部１１０は、筐体２０の操作面２４に配置されて各種操作を行うための部位であり、画像モニタ１１１と、骨伝導スピーカ部７０用の第２スイッチ部１１２と、骨伝導マイク部１００用の第３スイッチ部１１３とを備えている。画像モニタ１１１は、識別部８０にて識別された話者の名前を表示したり、音声をテキスト化したキストを表示できる。画像モニタ１１１は、例えばＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイ等のディスプレイデバイスを有して形成される。第２スイッチ部１１２は、骨伝導スピーカ部７０のオン−オフを切り換えるためのスイッチである。第３スイッチ部１１３は、骨伝導マイク部１００のオン−オフを切り換えるためのスイッチである。
【００２５】
接続部１４０は、図４、６に示すように、記憶部３０との間でデータを送受信するために、外部から通信ケーブル３１０のコネクタ３１１を接続可能なコネクタである。通信ケーブル３１０は、例えばＵＳＢケーブルであり、通信ケーブル３１０により電子カルテとアクセス可能なコンピュータ３００に接続することで、記録されたデータを、電子カルテに転送することができる。また、接続部１４０は、通信ケーブル３１０を介して筐体２０内のバッテリ（図示せず）を充電する役割をも果たす。
【００２６】
なお、データを送受信する方法として、ケーブルを使うのではなく、例えばＮＦＣ（Ｎｅａｒ  Ｆｉｅｌｄ  Ｃｏｍｍｕｎｉｃａｔｉｏｎ）などの通信技術を用いて、無線で行うこともできる。
【００２７】
第１スイッチ部１２０は、図１〜４に示すように、接触子７１を皮膚２０２に接触させた際にデータ記録装置１０の動作が開始するように、筐体２０に設けられる。第１スイッチ部１２０は、例えば、ばね（図示せず）により突出した状態で付勢された凸部１２１を備え、凸部１２１が皮膚２０２に接触して押し込まれることで、凸部１２１が突出している状態において離れて位置する２つの接点（図示せず）を備えている。２つの接点が電気的に接触すると、電流が流れてデータ記録装置１０の動作が開始される。そして、凸部１２１が皮膚２０２から離れることで、ばねにより凸部１２１が突出し、２つの接点が離れてデータ記録装置１０の動作が停止する。なお、第１スイッチ部１２０の構成はこれに限定されず、例えば、皮膚２０２に２つの電極が接触して皮膚２０２を介して電流が流れることでデータ記録装置１０の動作が開始する構成であってり、皮膚２０２に接触して温度が上昇することでデータ記録装置１０の動作を開始させる温度センサであってもよい。
【００２８】
ストラップ１３０は、操作者が首等に掛けられるように筐体２０に取り付けられる紐状の柔軟な部材である。操作者は、ストラップ１３０を首等に掛けた状態で持ち運ぶことができ、ストラップ１３０を首に掛けた状態のまま、把持部２１を把持してデータ記録装置１０として使用することができる。
【００２９】
制御部４０は、ＣＰＵ（Ｃｅｎｔｒａｌ  Ｐｒｏｃｅｓｓｉｎｇ  Ｕｎｉｔ）および動作プログラムにより構成され、マイク部５０、音声処理部６０、骨伝導スピーカ部７０、骨伝導マイク部１００、識別部８０、テキスト化部９０、操作部１１０および第１スイッチ部１２０の動作を統括的に制御する。制御部４０は、関連付けられるテキストデータおよび音声データの一方が消去された場合には、他方をも消去する。データの消去は、例えば、操作部１１０のタッチパネルである画像モニタ１１１から行うことができる。
【００３０】
次に、本実施形態に係るデータ記録装置１０の使用方法を、医師や看護師などの操作者が老人性難聴の患者から聞き取りを行う際を例として、図７に示すフローチャートを参照しつつ説明する。ここでは、骨伝導スピーカ部７０および骨伝導マイク部１００を用いる場合を例として説明する。
【００３１】
まず、操作者は、ストラップ１３０を首に掛けた状態で、第２スイッチ部１１２および第３スイッチ部１１３をオン（作動可能）の状態とする。これにより、骨伝導スピーカ部７０および骨伝導マイク部１００が作動可能となる。
【００３２】
次に、操作者は、図８、９に示すように、把持部２１を把持して、患者の頭蓋骨２０１を覆う皮膚２０２に接触子７１および骨伝導マイク部１００を接触させる。
【００３３】
骨伝導マイク部１００および接触子７１を皮膚２０２に接触させると、第１スイッチ部１２０の凸部１２１が押し込まれて、第１スイッチ部１２０の内部の２つの接点が接触し、制御部４０によってデータ記録装置１０の動作が開始される（ステップＳ１）。
【００３４】
データ記録装置１０の動作が開始されると、マイク部５０および骨伝導マイク部１００により会話が集音される。マイク部５０または骨伝導マイク部１００に、操作者および患者の声が入力されると、音声データとして音声処理部に送信される（ステップＳ２）。次に、識別部８０が、マイク部５０や骨伝導マイク部１００で得られた音声データを声紋データに変換し、この声紋データを、記憶部３０に格納されている複数の参照用声紋データと照合し、合致する参照用声紋データを識別して話者を特定する（ステップＳ３）。特定される話者は、例えば、医療従事者と患者である。識別された話者は、画像モニタ１１１に表示される（ステップＳ４）。識別された話者が間違っている場合には、第１スイッチ部１２０を皮膚から離し、再び押し付けて、再開することができる。
【００３５】
また、音声処理部６０は、受信した音声データを、周波数帯域に応じて周波数を変換し（ステップＳ５）、かつ周波数帯域に応じてボリューム調節を行う（ステップＳ６）。これにより、高く聞き取り難い高周波の音を低周波に変換し、かつ聞き取り難い高周波の音を増幅させて、難聴であっても聞き取りやすい音声とする。
【００３６】
次に、音声処理部６０は、周波数を変換して増幅させた音声信号を、骨伝導スピーカ部７０へ送信する。骨伝導スピーカ部７０は、アクチュエータ７２により接触子７１が振動し、皮膚２０２の直下に位置する頭蓋骨２０１を加振する（ステップＳ７）。頭蓋骨２０１を介して蝸牛２００に振動が伝達されるため、外耳、中耳および内耳の機能が低下していても、高い音や聞き取り難い音を、患者が認識しやすい。
【００３７】
また、マイク部５０および骨伝導マイク部１００により集音した音声データは、テキスト化部９０によりテキストデータに変換される（ステップＳ８）。テキスト化部９０は、文字に数字が含まれるか判別し（ステップＳ９）、文字に数字が含まれると判別した場合に、文字を数値に変換する（ステップＳ１０）。さらに、数値は、体温データか判別され（ステップＳ１１）、体温と判別された場合には、体温データを保存する別のセグメントに、体温として数値を記録する（ステップＳ１２）。また、テキスト化部９０は、マイク部５０への音声の入力が２秒以上ないかを判別し（ステップＳ１３）、音声の入力が２秒以上ない場合に、テキストデータに改行を挿入する（ステップＳ１４）。
【００３８】
テキスト化部９０にテキスト化されたテキストデータは、画像モニタ１１１に表示される（ステップＳ１５）。これにより、変換ミス等を確認することができる。例えば、画像モニタ１１１をタッチパネルとすれば、変換ミス等を修正可能とすることができる。
【００３９】
会話が終了した後、操作者は、把持部２１を把持した状態でデータ記録装置１０を皮膚２０２から離す。これにより、第１スイッチ部１２０がオフとなり、マイク部５０、骨伝導スピーカ部７０、骨伝導マイク部１００による音声の入出力が終了する（ステップＳ１６）。
【００４０】
この後、音声データが、音声処理部６０にてデジタル音声データに変換され、デジタル音声データおよびテキストデータが、声紋により特定された人（例えば、医療従事者および患者）および日時（例えば、記録が開始された日時）等に関連付けて、記憶部３０に格納される（ステップＳ１７）。
【００４１】
一例として、声紋により特定された人を表す記号が、操作者が”Ａ０１０”、患者が”Ｂ０２０”、記録が開始された日時が”２０１５年５月１日１０時１０分”であった場合、デジタル音声データのファイル名を”Ａ０１Ｂ０２０＿２０１５０５０１１０１０．ｍｐ３”、テキストデータのファイル名を”Ａ０１Ｂ０２０＿２０１５０５０１１０１０．ｔｘｔ”とすることができる。データが格納された後、データ記録装置１０の動作が終了する。なお、これらのファイル名に使用される項目（例えば、操作者を表す記号、患者を表す記号、記録が開始された時刻等）の種類や順番は、任意に設定し、変更することができる。また、これらのファイル名の順番は任意で設定し、変更することができる。また、自動で記録時間順に並び変えることもできる。
【００４２】
操作者は、複数人の患者に対して、上述の記録を順次行うことができる。操作者は、複数人の記録が終了した後、図６に示すように、接続部１４０にケーブル３１０を接続して、電子カルテに接続可能なコンピュータ３００に接続する。これにより、記録されたデジタル音声データおよびテキストデータを、電子カルテに転送することができる。転送されたデジタル音声データおよびテキストデータは、操作者、患者および日時のデータで関連付けられているため、管理が容易となる。また、接続部１４０にケーブル３１０に接続することで、データ記録装置１０を充電することができる。
【００４３】
以上のように、本実施形態に係るデータ記録装置１０は、複数人の参照用声紋データが格納される記憶部３０と、音声を検出するマイク部５０と、マイク部５０にて検出された音声の声紋を複数人の参照用声紋データと照合して合致する話者を識別する識別部８０と、マイク部５０にて検出された音声をテキスト化するテキスト化部９０と、を有するデータ記録装置１０である。上記のように構成したデータ記録装置１０は、マイク部５０にて検出された声紋を、記憶部３０に格納された参照用声紋データと照合して話者を特定できるため、音声データを話者に関連付けつつ効率よくテキスト化できる。
【００４４】
また、識別部８０にて識別された話者と関連付けて、テキスト化されたテキストデータを記憶部３０に記憶するため、メモを取る必要がなく、作業が容易かつ正確に実施可能になるとともに、テキストデータの管理が容易となる。
【００４５】
また、データ記録装置１０は、マイク部５０にて検出された音声をデジタル化する音声処理部をさらに有し、記憶部３０は、テキストデータとともにデジタル化されたデジタル音声データを記憶するため、テキストデータおよびデジタル音声データの管理が容易となる。
【００４６】
また、テキストデータおよびデジタル音声データは、記録が行われた時刻の情報を有するため、テキストデータおよびデジタル音声データを関連付けて管理できる。
【００４７】
また、テキスト化部９０は、テキストである数字を数値に変換するため、例えば体温等の数値の管理が容易となる。
【００４８】
また、テキスト化部９０は、マイク部５０にて検出される音声が所定の時間存在しない場合に、テキストを改行するため、テキストの視認性や取り扱い性が向上する。
【００４９】
また、データ記録装置１０は、マイク部５０にて検出された音声を振動として出力する骨伝導スピーカ部７０を有するため、難聴の人に対しても効果的に音声を伝達させることができ、データの良好な記録が可能となる。
【００５０】
また、データ記録装置１０は、マイク部５０が、接触する部位の振動から音を検出する骨伝導マイク部１００を有するため、会話が困難な人の音声であっても、骨を介して効果的に集音することができ、データの良好な記録が可能となる。
【００５１】
なお、本発明は、上述した実施形態のみに限定されるものではなく、本発明の技術的思想内において当業者により種々変更が可能である。例えば、図１０に示す変形例であるデータ記録装置１５０は、ストラップ１６０が、筐体１７０が連結される側と反対側にクリップ１６１が設けられたワイヤ１６２を備え、筐体１７０の内部に、巻き取り可能なリール機構１６３が設けられてもよい。リール機構１６３は、例えば、ゼンマイ式である。また、リール機構１６３は、ワイヤ１６２が所定長さ以上引き出された際に、データ記録装置１５０の動作を開始させるスイッチ機構１８０を備えている。スイッチ機構１８０は、例えば、リール機構１６３のロールに巻き取られているワイヤ１６２の巻き取り量（厚さ）を検出する光センサである。データ記録装置１５０は、ワイヤ１６２がリール機構１６３に巻き取られ、かつクリップ１６１が操作者の衣服に取り付けた状態で持ち運ばれる。そして、操作者によって筐体１７０が患者に近づけられて、リール機構１６３からワイヤ１６２が所定長さ以上引き出された際に、データ記録装置１５０の動作が開始される。なお、前述の実施形態と同一の機能を有する部位には、同一の符号を付し、説明を省略する。
【００５２】
また、データ記録装置は、骨伝導スピーカ部や骨伝導マイク部が設けられなくてもよい。
【００５３】
また、データ記録装置は、例えばスマートフォンやタブレット端末などの携帯用端末およびアプリケーション（プログラム）により構成されてもよい。
【００５４】
また、クリップ１６１を、フォーンプラグ（φ３．５ｍｍミニプラグ）に変えて構成されてもよい。この場合は、データ記録装置をスマートフォンやタブレット端末などの携帯用端末およびアプリケーション（プログラム）を好適に活用することができ、なおかつデータ記録装置１５０の構成を簡素化することができる。
【符号の説明】
【００５５】
１０、１５０    データ記録装置、
３０    記憶部、
４０    制御部、
５０    マイク部、
６０    音声処理部、
７０    骨伝導スピーカ部、
８０    識別部、
９０    テキスト化部、
１００    骨伝導マイク部、
１１０    操作部、
１１１    画像モニタ、
２００    蝸牛、
２０１    頭蓋骨、
２０２    皮膚。
【図１】
2017009956.tif 000003
【図２】
2017009956.tif 000004
【図３】
2017009956.tif 000005
【図４】
2017009956.tif 000006
【図５】
2017009956.tif 000007
【図６】
2017009956.tif 000008
【図７】
2017009956.tif 000009
【図８】
2017009956.tif 000010
【図９】
2017009956.tif 000011
【図１０】
2017009956.tif 000012